(57)【要約】      （修正有）【課題】一種の万年カレンダーで、暦日札７枚の入れ替えと祝祭日・休日及び暦日数の適切な表示で任意の月に対応し、簡単で永久に使用でき、メモ機能を備えたカレンダー・ボードを提供する。【解決手段】本体１の左上部にカレンダー部、右上部にホワイトボード、右下部にコルクボードを配置する。月の表示は月表示板３、カレンダー部の暦は暦日札ガイド４に沿って挿入する暦日札２の７枚で表示する。暦日札２の１で始まる暦日札２ａは片面のみ数字を配置し、暦日札２ａ以外の暦日札は表裏同じ数字の配列で裏面を１字分下方へずらした配置とする。暦日数と祝祭日等の適切な表示は、それぞれ対応する札７及び札６を使用する。暦日札２の数字際余白はメモすることができ、更にホワイトボードとコルクボードを備え三とおりのメモ機能を備える入れ替え簡単で永久に利用できるカレンダー・ボード。【選択図】図１
0003135679.tif 000002
【実用新案登録請求の範囲】
【請求項１】
平面の壁掛式カレンダー・ボードであって、左上部に配置するカレンダー部は、本体、暦日札、暦日札ガイド、祝祭日・休日表示用の札及び不要数字を隠すための札用のガイド、月表示板から構成され、必要に応じて祝祭日・休日表示用の札と不要数字を隠すための札が加わる構造で、１から３１までの暦の数字をある規則性のもと縦に配列する暦日札７枚を本体縦式の暦日札ガイドに沿って抜き差しし、７枚の暦日札で任意の月を表示する。暦日札は７種類あり、そのうち1枚の暦日札は表面のみ上から順に１、８、１５、２２、２９の数字を配列する。他６枚の暦日札は表裏両面使用する。縦に上から順に２、９、１６、２３、３０の数字の配列とする暦日札は裏面も同じ数字の配列とするが、裏面は表面より１字分下方へずらした配置とする。同様に、縦に上から順に３、１０、１７、２４、３１配列の暦日札、４、１１、１８、２５配列の暦日札、５、１２、１９、２６配列の暦日札、６、１３、２０、２７配列の暦日札及び７、１４、２１、２８配列の暦日札は２、９、１６、２３、３０配列の暦日札と同じく表裏同じ数字の配列とし、裏面は表面より１字分下方へずらした配置とする。この特徴のある暦日札７枚の表裏を使い、差し替え簡単でどの月にも対応可能な構造で永久に使えることを特徴とする入れ替え簡単カレンダー・ボード。
【請求項２】
任意の月を表示するカレンダー部は、３０日までの月の場合３１の数字は不要である。同様に、２８日までの２月の月は２９、３０及び３１の数字は不要である。任意の月に合致した月を表示するために不要な数字を表面に出ないようにするために不要な数字を隠すための札を使用する場合は、収納ホルダーから取り出し、本体横式の祝祭日・休日及び不要数字を隠すための札のガイドに沿って不要な数字上に配置する。祝祭日・休日に当たる日を表示するときは、不要数字を隠す場合と同じように、真ん中がくり貫いてあり、朱色表示した祝祭日・休日表示用の札を収納ホルダーから取り出し、本体横式ガイドに沿って祝祭日・休日に当たる日の数字上に配置する構造を特徴とする請求項１記載の入れ替え簡単カレンダー・ボード。
【請求項３】
本体右上部にホワイトボードを配置し、メモ機能を付加する構造を特徴とする請求項１及び請求項２記載の入れ替え簡単カレンダー・ボード。
【請求項４】
本体右下部にコルクボードを配置し、メモ紙を鋲止めできる構造を特徴とする請求項１
及び請求項２記載の入れ替え簡単カレンダー・ボード。
【請求項５】
任意の月の表示は、１から１２まで順番に数字を配列する円形で回転円盤式の月表示板を回転させ表示したい月の数字を本体の凹部から数字を覗かせることにより、該当月を表示する構造を特徴とする請求項１及び請求項２記載の入れ替え簡単カレンダー・ボード。
【考案の詳細な説明】
【技術分野】
【０００１】
本考案は、入れ替えが簡単で永久に使え、該当する月を表示することができるカレンダーでメモ機能を備えたカレンダー兼スケジュールボードに関するものである。
【背景技術】
【０００２】
提案され類似・販売されているものは、日にちの全数字を入れ替える必要があり不便、又は不要な数字が表面に出たままのものであった。
【特許文献１】実登３０２９９３９号公報
【特許文献２】実登３０７４７３０号公報
【考案の開示】
【考案が解決しようとする課題】
【０００３】
解決しようとする問題点は、入れ替え式カレンダーでは、月の全日にちの枚数を入れ替えなければならず著しく不便であったり、又は祝祭日・休日を適した表示方法で明示することができないないなどの問題点があった。
【課題を解決するための手段】
【０００４】
本考案のカレンダーは、ある規則性のもと表裏に同じ数字を配列とする暦日札７枚を挿入するのみで該当月を表すことができ、また祝祭日・休日を表示することができる構造と任意の月の暦どおり月末の日にちを正しく表示することを備えている入れ替え簡単なカレンダー・ボードである。
【０００５】
左上部に配置するカレンダー部は、本体、暦日札、暦日札ガイド、祝祭日・休日表示用の札及び不要数字を隠すための札用のガイド、月表示板から構成され、必要に応じて祝祭日・休日表示用の札と不要数字を隠すための札が加わる構造で、１から３１までの暦の数字をある規則性のもと縦に配列する暦日札７枚を本体縦式の暦日札ガイドに沿って抜き差しし、７枚の暦日札で任意の月を表示する。暦日札は７種類あり、そのうち1枚の暦日札は表面のみ上から順に１、８、１５、２２、２９の数字を配列する。他６枚の暦日札は表裏両面使用する。縦に上から順に２、９、１６、２３、３０の数字の配列とする暦日札は裏面も同じ数字の配列とするが、裏面は表面より１字分下方へずらした配置とする。同様に、縦に上から順に３、１０、１７、２４、３１配列の暦日札、４、１１、１８、２５配列の暦日札、５、１２、１９、２６配列の暦日札、６、１３、２０、２７配列の暦日札及び７、１４、２１、２８配列の暦日札は２、９、１６、２３、３０配列の暦日札と同じく表裏同じ数字の配列とし、裏面は表面より１字分下方へずらした配置とする。
【考案の効果】
【０００６】
本考案の入れ替え簡単カレンダー・ボードは、表示したい月の暦日を簡単に表示でき、３０日までの小月や祝祭日・休日を表示することができる。日にち数字の余白をメモスペースに使うことができ、ホワイトボードとコルクボードの両ボードを配置することでカレンダー機能とメモ機能を併せ持つカレンダー・ボードで、便利で実用的である。
【考案を実施するための最良の形態】
【０００７】
暦日札７枚の入れ替えで簡単で永久に使用でき、加えて祝祭日・休日を適切な表示で任意の月に対応し、日にち数字際余白にメモすることができ、ホワイトボードとコルクボードを兼ね備え、スケジュールボード機能を付加した構造を有する。
【実施例】
【０００８】
図１は本考案の正面図である。カレンダー部は、本体１の左上部に配置し、本体１に7枚の暦日札２を縦式の暦日札ガイド４に沿って上下に抜き差しする。カレンダー部の上部に左から右方向へ日曜日から土曜まで七曜を表す朱色の「日」から始まり、黒色の「月」から「金」、青色の「土」を表記する。暦日札２は、図６の日にちの数字が縦に１で始まる１、８、１５、２２、２９の札２ａのみ片面を使い、この札以外の例えば２で始まる札２ｂは表と裏に上から順に２、９、１６、２３、３０を配列するが、裏面は図６、２ｂ裏のとおり１字分下方へずらした配置とする。他の３、４、５、６及び７で始まる札（順に図６、２ｃ、２ｄ、２ｅ、２ｆ、２ｇ）の５枚は、２で始まる札２ｂと同様に表裏２面に同じ数字の配列とするが、裏面は表面と違え、１字分下方へずらした配置とする。
【０００９】
３０日までの小月のときは「３１」の数字は不要であるから「３１」の不要数字を隠すための札７を本体１左下部収納ホルダーの祝祭日・休日及び不要数字を隠すための札のガイド５から取り出し、横式の祝祭日・休日表示用の札及び不要数字を隠すための札用ガイド１５に沿って「３１」の数字の上に配置する。
【００１０】
２月の場合の「２９」「３０」「３１」の数字が表示不要なときは、小月の「３１」が不要の月の場合と同様に、不要数字を隠すための札７を不要数字「２９」「３０」「３１」上に配置する。
【００１１】
祝祭日・休日を表示するためには朱色の祝祭日・休日表示用の札６を対象日の上に不要数字を隠すときと同じように祝祭日・休日表示用の札６を収納ホルダーから取り出し、該当日の上に配置する。暦日札２と不要数字を隠すための札７及び祝祭日・休日表示用の札６の関係は、図２、図３及び図１０のとおり暦日札２が本体１に近い内側で、不要数字を隠すための札７と祝祭日・休日表示用の札６が外側に位置する。暦日札２の数字右際余白は、図５のとおりメモスペースとして使用することができる。
【００１２】
月の表示は本体１左上部裏面に配置する円形で回転円板式の月表示板３を回し、本体凹部から該当数字を覗かせ当該月を表示する。
【００１３】
本体１右上部のホワイトボード１４はメモ書きに、右下部のコルクボード１１は画鋲９でメモ紙貼付などに利用する。
【００１４】
本体１左下部にはキーホルダー８を配置、下部にはマーカー、マーカー消し置き受け皿１０を配置する。
【産業上の利用可能性】
【００１５】
吊り下げ式のほかビスを用いて壁に固定などの用途にも用いることができ、家庭、仕事場、学校、病院などで幅広く活用できる。
【図面の簡単な説明】
【００１６】
【図１】全体の正面図である。
【図２】全体の右立面図である。
【図３】全体の左立面図である。
【図４】暦日札と暦日札ガイドの関係図である。
【図５】暦日札と暦日札ガイドの関係拡大図である。
【図６】暦日札７枚の表裏数字の配列図である
【図７】該当月の数字を示めす月表示板の拡大図である。
【図８】不要数字を隠すための札の拡大図である。
【図９】祝祭日・休日表示用の札の拡大図である。
【図１０】不要数字を隠すための札、祝祭日・休日表示用の札及び本体ガイドの関係拡大図である。
【符号の説明】
【００１７】
１  カレンダー・ボード本体
２  暦日札
３  月表示板
４  暦日札ガイド
５  祝祭日・休日及び不要数字を隠すための札のガイド
６  祝祭日・休日表示用の札
７  不要数字を隠すための札
８  キーホルダー
９  画鋲
１０  マーカー、マーカー消し置き受け皿
１１  コルクボード  
１２  コルクボード用薄枠
１３  ホワイトボード用薄枠  
１４  ホワイトボード
１５  祝祭日・休日表示用の札及び不要数字を隠すための札用ガイド
【図１】
0003135679.tif 000003
【図２】
0003135679.tif 000004
【図３】
0003135679.tif 000005
【図４】
0003135679.tif 000006
【図５】
0003135679.tif 000007
【図６】
0003135679.tif 000008
【図７】
0003135679.tif 000009
【図８】
0003135679.tif 000010
【図９】
0003135679.tif 000011
【図１０】
0003135679.tif 000012
【手続補正書】
【提出日】平成19年7月12日(2007.7.12)
【手続補正１】
【補正対象書類名】実用新案登録請求の範囲
【補正対象項目名】全文
【補正方法】変更
【補正の内容】
【実用新案登録請求の範囲】
【請求項１】
平面の壁掛式カレンダー・ボードであって、左上部に配置するカレンダー部は、本体、暦日札、暦日札ガイド、祝祭日・休日表示用の札及び不要数字を隠すための札用のガイド、月表示板から構成され、必要に応じて祝祭日・休日表示用の札と不要数字を隠すための札が加わる構造で、１から３１までの暦の数字をある規則性のもと縦に配列する暦日札７枚を本体縦式の暦日札ガイドに沿って抜き差しし、７枚の暦日札で任意の月を表示する構造で、暦日札は７種類あり、そのうち1枚の暦日札は表面のみ上から順に１、８、１５、２２、２９の数字を配列し、他６枚の暦日札は表裏両面使用することとし、縦に上から順に２、９、１６、２３、３０の数字の配列とする暦日札は裏面も同じ数字の配列とするが、裏面は表面より１字分下方へずらした配置とし、同様に、縦に上から順に３、１０、１７、２４、３１配列の暦日札、４、１１、１８、２５配列の暦日札、５、１２、１９、２６配列の暦日札、６、１３、２０、２７配列の暦日札及び７、１４、２１、２８配列の暦日札は２、９、１６、２３、３０配列の暦日札と同じく表裏同じ数字の配列とし、裏面は表面より１字分下方へずらした配置とし、この特徴のある暦日札７枚の表裏を使い、差し替え簡単でどの月にも対応可能な構造で永久に使えることを特徴とする入れ替え簡単カレンダー・ボード。
【請求項２】
任意の月を表示するカレンダー部は、３０日までの月の場合３１の数字は不要であり、同様に、２８日までの２月の月は２９、３０及び３１の数字は不要であり、任意の月に合致した月を表示するために不要な数字を表面に出ないようにするために不要な数字を隠すための札を使用する場合は、収納ホルダーから取り出し、本体横式の祝祭日・休日及び不要数字を隠すための札のガイドに沿って不要な数字上に配置することとし、祝祭日・休日に当たる日を表示するときは、不要数字を隠す場合と同じように、真ん中がくり貫いてあり、朱色表示した祝祭日・休日表示用の札を収納ホルダーから取り出し、本体横式ガイドに沿って祝祭日・休日に当たる日の数字上に配置する構造を特徴とする請求項１記載の入れ替え簡単カレンダー・ボード。
【請求項３】
本体右上部にホワイトボードを配置し、メモ機能を付加する構造を特徴とする請求項１または請求項２記載の入れ替え簡単カレンダー・ボード。
【請求項４】
本体右下部にコルクボードを配置し、メモ紙を鋲止めできる構造を特徴とする請求項１
または請求項２記載の入れ替え簡単カレンダー・ボード。
【請求項５】
任意の月の表示は、１から１２まで順番に数字を配列する円形で回転円盤式の月表示板を回転させ表示したい月の数字を本体の凹部から数字を覗かせることにより、該当月を表示する構造を特徴とする請求項１または請求項２記載の入れ替え簡単カレンダー・ボード。